(57)【要約】　　　（修正有）【課題】従来の高周波加熱装置と誘電加熱装置とを備えた複合調理器は、誘電加熱装置のトッププレートが高周波加熱装置の上面に配置されているため、誘導加熱装置を使う場合、トッププレートが高い位置になり、使い勝手が悪かった。【解決手段】高周波加熱装置の筐体の側部側に、取付手段により誘導加熱装置を回動可能に取付け、誘導加熱装置を使用時には、トッププレートが上面になるように回動し、高周波加熱装置の側部側に並置固定し、使用しない時は、トッププレートのある面が筐体の側部の面に向い合うように、回動固定する。【選択図】　　　　図１
2004069073.tif 000002
【特許請求の範囲】
【請求項１】
高周波加熱室で高周波加熱を行う高周波加熱装置とトッププレートで誘導加熱を行う誘導加熱装置とを備えた複合調理器において、
前記誘導加熱装置を使用しない時には、取付手段により前記誘導加熱装置を前記トッププレートのある面が前記高周波加熱装置の筐体の側部の面に向い合うように配置固定し、
前記誘導加熱装置の使用時には、前記取付手段により前記誘導加熱装置を前記トッププレートが上方となるように、前記高周波加熱装置の筐体の側部側に並置固定することを特徴とする複合調理器。
【請求項２】
前記取付手段を、前記誘導加熱装置に設ける取付軸と、前記高周波加熱装置に設け、前記取付軸が嵌合される軸受部とし、
前記誘導加熱装置を前記高周波加熱装置の筐体の側部側に、前記取付軸と前記軸受部により回動可能に取付け、
前記誘導加熱装置を使用しない時及び使用時に応じて、前記誘導加熱装置を前記取付軸を中心に回動することを特徴とする請求項１記載の複合調理器。
【請求項３】
前記誘導加熱装置の単独の電源基板又は前記高周波加熱装置と共用の電源基板を高周波加熱装置内に収納し、前記取付軸に前記誘導加熱装置の内部に通じる軸穴を設け、該軸穴に加熱コイルのリード線を通し、前記軸受部に形成される空間内で、前記加熱コイルのリード線と前記電源基板のリード線とを接続することを特徴とする請求項２に記載の複合調理器。
【請求項４】
前記高周波加熱装置と前記誘導加熱装置との間で、電源基板、冷却用モータ、冷却ファンを共用することを特徴とする請求項２に記載の複合調理器。
【請求項５】
前記電源基板と前記冷却モータと前記冷却ファンとを高周波加熱装置内に収納することを特徴とする請求項４記載の複合調理器。
【請求項６】
前記取付軸に前記誘導加熱装置の内部に通じる軸穴を設け、吸気孔又は排気孔を有する前記高周波加熱装置と排気孔又は吸気孔を有する前記誘導加熱装置とを前記取付軸の軸穴を介して風路を形成するように接続し、前記冷却用モータと前記冷却ファンとにより、前記高周波加熱装置内の電源基板及び前記誘導加熱装置内の加熱コイルを冷却することを特徴とする請求項５に記載の複合調理器。
【請求項７】
前記誘導加熱装置の出力操作部を高周波加熱装置の操作パネルに設け、また、前記誘導加熱装置の天板上に出力表示部を設けることを特徴とする請求項１から請求項６のいずれかの請求項に記載の複合調理器。
【請求項８】
前記誘導加熱装置の底部に着地スイッチを備え、前記誘導加熱装置を使用時に、前記着地スイッチが設置台と接触することにより前記誘導加熱装置に電源が接続されることを特徴とする請求項１から請求項７のいずれかの請求項に記載の複合調理器。
【請求項９】
操作パネルに交互動作スイッチを設け、該スイッチを動作させることにより、前記高周波加熱装置と前記誘導加熱装置とに交互に通電することを特徴とする請求項１から請求項８のいずれかの請求項に記載の複合調理器。
【発明の詳細な説明】
【０００１】
【発明の属する技術分野】
本発明は、複合調理器に関し、特に高周波加熱装置と誘導加熱装置とを備えた複合調理器に関する。
【０００２】
【従来の技術】
図７は、実公平７−２２０７号公報に記載の従来の複合調理器の外観図であり、図８は、同じくその断面図である。
図において、２１は高周波加熱装置、２２は高周波加熱装置２１の前面に開閉自在に設けられたドア、２３は高周波加熱装置２１の前面で、ドア２２の側部に設けられた操作パネル、２４は高周波加熱装置２１の上面に設けられた開口部で、後述のトッププレートが取り付けられる。２５はフライパン等を載置するための絶縁板であるトッププレートである。
【０００３】
２６は高周波加熱装置２１の内部に配置され、食品を収納する高周波加熱室、２７は高周波発生装置であるマグネトロン、２８は高周波を高周波加熱室２６に導く導波管であり、高周波加熱室２６の上面側部にマグネトロン２７を備えた導波管２８の端部が接続されている。
２９は後述のターンテーブルを回転駆動するモータ、３０は食品を載置するターンテーブルである。高周波加熱室２６の底部には、モータ２９によって回転駆動され、食品を載置するターンテーブル３０が設けられている。
３１は、高周波加熱装置２１の天井面２６ａに配置されるコイルベースに支持される加熱コイルである。
【０００４】
ここで、高周波加熱装置として使用する場合は、高周波加熱室２６内のターンテーブル３０に食品を載置して、操作パネル２３を操作すると、ターンテーブル３０が回転するとともに、マグネトロン２７が高周波を発生し、所定の高周波加熱が行われる。
【０００５】
また、誘導加熱装置として使用する場合は、トッププレート２５にフライパン等の被加熱物容器を載置し、操作パネル２３を操作すると、加熱コイル３１に高周波電流が流れることにより生じる高周波磁界が被加熱物容器に作用して所定の誘導加熱が行われる。
【０００６】
【発明が解決しようとする課題】
しかしながら、従来の複合調理器は、トッププレート２５が高周波加熱装置２１の上面に配置されているため、誘導加熱調理を行う際、トッププレート２５が高い位置になってしまう。
例えば、高周波加熱装置２１が、使いやすいように、目線より若干低い位置に設定すると、トッププレート２５は、目線より高い位置となってしまい、フライパン等を目線より高い位置で動作させなければならないため危険である。
また、誘導加熱装置として使いやすいように高周波加熱装置２１を目線よりも低い位置に設定すると、使用頻度が高い高周波加熱装置２１を使用する際、体を折り曲げなければならないため不便である。
【０００７】
本発明は、上記のような課題を解決するためになされたものであり、高周波加熱装置と誘導加熱装置の使用時の目線位置をほぼ同じ高さにすることで、使い勝手を向上する複合調理器を得ることを目的とする。
【０００８】
【課題を解決するための手段】
本発明の請求項１に係る複合調理器は、高周波加熱室で高周波加熱を行う高周波加熱装置とトッププレートで誘導加熱を行う誘導加熱装置とを備えた複合調理器において、誘導加熱装置を使用しない時には、取付手段により誘導加熱装置をトッププレートのある面が高周波加熱装置の筐体の側部の面に向い合うように配置固定し、誘導加熱装置の使用時には、取付手段により誘導加熱装置をトッププレートが上方となるように、高周波加熱装置の筐体の側部側に並置固定するものである。
【０００９】
また、請求項２に係る複合調理器は、請求項１の複合調理器において、取付手段を、誘導加熱装置に設ける取付軸と、高周波加熱装置に設け、取付軸が嵌合される軸受部とし、誘導加熱装置を高周波加熱装置の筐体の側部側に、取付軸と軸受部により回動可能に取付け、誘導加熱装置を使用しない時及び使用時に応じて、誘導加熱装置を取付軸を中心に回動するものである。
【００１０】
また、請求項３に係る複合調理器は、請求項２の複合調理器において、誘導加熱装置の単独の電源基板又は高周波加熱装置と共用の電源基板を高周波加熱装置内に収納し、取付軸に誘導加熱装置の内部に通じる軸穴を設け、該軸穴に加熱コイルのリード線を通し、軸受部に形成される空間内で、加熱コイルのリード線と電源基板のリード線とを接続するものである。
【００１１】
また、請求項４に係る複合調理器は、請求項２の複合調理器において、高周波加熱装置と誘導加熱装置との間で、電源基板、冷却用モータ、冷却ファンを共用するものである。
【００１２】
また、請求項５に係る複合調理器は、請求項４の複合調理器において、電源基板と冷却モータと冷却ファンとを高周波加熱装置内に収納するものである。
【００１３】
また、請求項６に係る複合調理器は、請求項５の複合調理器において、取付軸に誘導加熱装置の内部に通じる軸穴を設け、吸気孔又は排気孔を有する高周波加熱装置と排気孔又は吸気孔を有する誘導加熱装置とを取付軸の軸穴を介して風路を形成するように接続し、冷却用モータと冷却ファンとにより、高周波加熱装置内の電源基板及び誘導加熱装置内の加熱コイルを冷却するものである。
【００１４】
また、請求項７に係る複合調理器は、請求項１から請求項６のいずれかの請求項の複合調理器において、誘導加熱装置の出力操作部を高周波加熱装置の操作パネルに設け、また、誘導加熱装置の天板上に出力表示部を設けるものである。
【００１５】
また、請求項８に係る複合調理器は、請求項１から請求項７のいずれかの請求項の複合調理器において、誘導加熱装置の底部に着地スイッチを備え、誘導加熱装置を使用時に、着地スイッチが設置台と接触することにより誘導加熱装置に電源が接続されるものである。
【００１６】
また、請求項９に係る複合調理器は、請求項１から請求項８のいずれかの請求項の複合調理器において、操作パネルに交互動作スイッチを設け、該スイッチを動作させることにより、高周波加熱装置と誘導加熱装置とに交互に通電するものである。
【００１７】
【発明の実施の形態】
実施の形態１．
以下、この発明の実施の形態１の複合調理器を図１、図２、図３、図４及び図５により説明する。
図１は、実施の形態１の複合調理器の誘導加熱装置使用時の外観図、図２は同じく複合調理器の誘導加熱装置を使用しないときの外観図、図３は同じく誘導加熱装置の部分斜視図、図４は同じく複合調理器の高周波加熱装置に誘導加熱装置を取付けることを説明するための部分斜視図、図５は同じく複合調理器の電気回路図である。
【００１８】
これらの図において、１は高周波加熱装置、１ａは高周波加熱装置１の筐体、１ｂは筐体１ａの側部、２は高周波加熱装置の前面に設けられ、被加熱物である食品を後述の高周波加熱室３に出し入れする開口部（図示せず）を開閉するドア、２ａはドア２の取っ手、３はドア２を開け（この例では、上部の取っ手２ａを引っ張って、下部で軸着されたドア２を開く）、被加熱物が入れられる高周波加熱室、４は高周波加熱装置１の前面部で、ドア２の右側に配置された操作パネルであり、４ａは高周波加熱装置用操作パネル、４ｂは誘導加熱装置用操作パネルであり、その間にメインスイッチ５が設けられている。６は誘導加熱装置、６ａは誘導加熱装置６の底部、６ｂは底部６ａに設けられた足、７は誘導加熱装置６使用時に上面となる絶縁板である天板、７ａは天板７の中央部で、フライパン等を載置するトッププレートであり、小間隔の直下に高周波電流を流す加熱コイル８（図５に示す）が配置されている。７ｂは天板７上に設置される出力表示部で、誘導加熱装置６使用時の使用者側に設置され、液晶、ＬＥＤ、ＥＬ等で構成され、誘導加熱装置６の使用時の出力が大きくなるに応じて、バー状の表示が伸び、大きくなる。
９は誘導加熱装置６の底部６ａに設けられた着地スイッチである（但し、本実施の形態の例では、着地スイッチ９はなくてもよい）。
【００１９】
１３は高周波加熱装置１の下部に設けられた軸受部であり、側部１ｂの面に対して、垂直に突出するように設けられる。軸受部１３には軸受穴１３ａが形成され、両側の向き合った軸受穴１３ａに誘導加熱装置６の両側部から突出する取付軸１１が嵌合され、誘導加熱装置６が高周波加熱装置１に回動可能に軸着される。即ち、取付軸１１により回動可能に、筐体１ａの側部１ｂ側に取付けられる。
そして、誘導加熱装置６は使用時には、図１に示すように取付軸１１により、上面のトッププレート７ａが上方となるように配置され、高周波加熱装置１の筐体１ａの側部１ｂ側に並置固定され、また、使用しないときは、図２に示すように、トッププレート７ａのある面が高周波加熱装置１の筐体１ａの側部１ｂの面に接触し、両者が合体するように配置、固定される。即ち、誘導加熱装置６は取付軸１１を軸受部１３の軸受穴１３ａに嵌合させることにより、図１、図２に示す位置間の、ほぼ９０度範囲で、回動可能に支持される。
但し、誘導加熱装置６を使用しない時には、トッププレート７ａのある面が筐体１ａの側部１ｂの面に接触しなくても、両者が向い合う位置関係とし、固定してもよい。
【００２０】
取付軸１１には、内部に軸方向に軸穴１１ａが形成され、軸穴１１ａには加熱コイル８のリード線１２、１２が通り、その一端からリード線接続部１２ａ、１２ｂが出る（図３）。
軸受部１３の軸受穴１３ａには取付軸１１が嵌合されるが、操作パネル４と反対側の軸受穴１３ａにはリード線接続部１２ａ、１２ｂが出ている取付軸１１が嵌合され、取付軸１３は蓋体１４で外側から蓋がされる（図３、図４）。このとき、軸受部１３が蓋体１４で蓋がされるとき、両者の内部には空間が形成され、軸受穴１３ａに嵌合される取付軸１１の軸穴１１ａから出るリード線接続部１２ａ、１２ｂは、この空間内で、高周波加熱装置１内の電源基板のリード線の接続部と接続される。即ち、両側の取付軸１１は、それぞれ、両側の取付部１３の軸受穴１３ａに嵌合され、操作パネル４と反対側の取付軸１１の軸穴１１ａの、加熱コイル８のリード線接続部１２ａ、１２ｂは、電源基板のリード線の接続部に接続され、蓋体１４が軸受部１３に取付られ、接続部はカバーされる。
【００２１】
１５は冷却用モータ、１６は冷却用モータ１５で回転する冷却ファンで、これらは高周波加熱装置１内に設置される。
高周波加熱装置１内の電源回路（電源基板）に誘導加熱装置６の電源回路（電源基板）を付加させ、それを冷却用モータ１５、冷却ファン１６で冷却するようにして、両装置の電源回路（電源基板）、冷却用モータ１５、冷却ファン１６を共用とする。
１９は高周波加熱装置１の筐体１ａの背面に形成された吸気孔で、冷却モータ１５で回転する冷却ファン１６により、吸気孔１９から高周波加熱装置１内に冷却風が導入され、高周波加熱装置１内の電源基板とマイクロ波発生制御基板を冷却し、高周波加熱装置１内から、前記の軸受部１３と蓋体１４で形成される空間を通って軸穴１１ａから誘導加熱装置６内に入り、即ち、軸穴１１ａを介して冷却風の風路を形成し、誘導加熱装置６内のインダクション発生制御基板、加熱コイル８及び天板７を冷却し、誘導加熱装置６の側部に設けた排気孔１０から排気される。即ち、軸穴１１ａ及び軸受穴１３ａは、リード線通過穴兼冷却風通過穴である。
但し、冷却風の流れを逆にして、前記の吸気孔１９と排気孔１０は逆としてもよい。
【００２２】
図５の複合調理器の電気回路図は、主として、メインスイッチ５の切換え選択により、高周波加熱装置１（マグネトロン１７）及び誘導加熱装置６（加熱コイル８）への選択的通電、高周波加熱装置１及び誘導加熱装置６の共用の電源基板、送風機である冷却用モータ１５と冷却ファン１６への通電を説明するものである。
図５において、電源からの電力は、メインスイッチ５の切換え、選択により、高周波加熱装置１のマグネトロン１７、誘導加熱装置６の加熱コイル８又は両者に供給される。即ち、メインスイッチ５の接点ａと接点ｄの接触で、高周波加熱装置１のマグネトロン１７に通電され、接点ｂと接点ｄの接触で、誘導加熱装置６の加熱コイル８に通電され、接点ａと接点ｃ、接点ｂと接点ｅの接触で、両者に通電される。また、マグネトロン１７及び加熱コイル８のうち少なくとも一方に通電されると、冷却用モータ１５及び冷却ファン１６に通電され、共用の電源基板（電源回路）、高周波加熱装置１内のマイクロ波発生制御基板、及び誘導加熱装置６内のインダクションヒータ発生制御基板、加熱コイル８、天板７を冷却する。
【００２３】
次に、複合調理器の使用時の説明を行う。
誘導加熱装置６を使用するときは、図２の状態から誘導加熱装置６を時計方向に取付軸１１を中心に回動させ、天板７が水平になるまで回動させる。即ち、トッププレート７ａが上方になるように回動させ、高周波加熱装置１の側部１ｂ側に並置させ、足６ｂが設置台１８に接地して固定させる。このとき、高周波加熱装置１と誘導加熱装置６は同一平面上に安定して固定配置される。
そこで、フライパン等を誘導加熱装置６のトッププレート７ａに載置し、操作パネル４のメインスイッチ５及び誘導加熱装置用操作パネル４ｂを操作すると、加熱コイル８に高周波が流れ、渦電流が発生し、所定の誘導加熱を行うことができる。
なお、誘導加熱装置６の使用時の高さは、軸受部１３の取付位置及び軸受穴１３ａの位置を調節することにより、高周波加熱装置１の設置高さを調節し、トッププレート７ａへの目線位置が適当な位置となるように設置する。
【００２４】
また、高周波加熱装置１を使用する時は、ドア２を開け、高周波加熱室３内の載置台に食品を載置し、ドア２を閉じ、操作パネル４のメインスイッチ５及び高周波加熱装置用操作パネル４ａを操作すると、マグネトロン１７からの高周波が照射され、所定の高周波加熱を行うことができる。
【００２５】
次に、誘導加熱装置６の使用終了後、または、誘導加熱装置６を使用しない時は、図２に示すように、誘導加熱装置６を図１の状態から反時計方向に取付軸１１を中心に回動させ、高周波加熱装置１の筐体１ａの側部１ｂの面に沿って縦に折りたたんだ形で、即ち、筐体１ａの側部１ｂの面にトッププレート７ａのある面が接触し、又は両面が向い合う位置関係とし、固定されコンパクトにできる。複合調理器を使用しない時もこのような形にしてコンパクトに収納することができる。
【００２６】
本実施の形態によれば、高周波加熱装置１と誘導加熱装置６とを組合せた複合調理器において、誘導加熱装置６を使用しない時には、取付手段（例えば取付軸１１と軸受部１３）により誘導加熱装置６をトッププレート７ａのある面が高周波加熱装置１の筐体１ａの側部１ｂの面に向い合うように配置固定し、誘導加熱装置６の使用時には、取付手段（例えば取付軸１１と軸受部１３）により誘導加熱装置６をトッププレート７ａが上方となるように、高周波加熱装置１の筐体１ａの側部１ｂ側に並置固定するので、誘導加熱装置の使用時に、誘導加熱装置６を高周波加熱装置１の側部１ｂに並置でき、高周波加熱装置１と誘導加熱装置６の使用時の目線の位置がほぼ同じ高さにすることができ、複合調理器６の使い勝手を向上させることができる。
また、誘導加熱装置６を使用しない時は、トッププレート７ａのある面を高周波加熱装置１の側部１ｂの面に向い合うように配置固定するので、縦に折りたたむことにより小さくなり、設置スペースを有効活用できる。
また、衝撃に弱いトッププレート７ａのある面の保護ができる。
【００２７】
さらに、誘導加熱装置６を使用時に高周波加熱装置１に並置時に、取付手段（例えば取付軸１１と軸受部１３）を調節することにより、誘導加熱装置６の重心が低い位置になるように設定し、安定させるとともに、適当な高さとすることにより、高周波加熱装置１と誘導加熱装置６の目線の高さ位置をあわせることができる。
また、誘導加熱装置６を使用しない時、トッププレート７ａのある面と筐体１ａの側部１ｂの面とを接触させ、誘導加熱装置６を縦に折りたたんだ形としても、小さくすることができ、設置スペースを有効活用できる。
なお、誘導加熱装置６の天板７は、一般に、非磁性材で、ガラス板等のセラミック材で構成されるが、セラミック材は比較的衝撃に弱く、台所での調理用鍋等が天板７に落下すると、傷や割れが生じ易いが、誘導加熱装置６を使用しない時は、誘導加熱装置６を縦に折りたたんだ形とすることができ、傷や割れが生じるのを防止できる。
また、高周波加熱装置１と誘導加熱装置６を一体にしたため、即ち、複合化したため、工場出荷の際、別々の機種として出荷するよりも梱包体積が小さくでき、梱包材や輸送費用を低減できる。
【００２８】
また、本実施の形態では、取付手段を、誘導加熱装置に設ける取付軸１１と、高周波加熱装置６に設け、取付軸１１が嵌合される軸受部１３とし、誘導加熱装置６を高周波加熱装置１の筐体１ａの側部１ｂ側に、取付軸１１と軸受部１３により回動可能に取付け、誘導加熱装置６を使用しない時及び使用時に応じて、誘導加熱装置６を取付軸１１を中心に回動するので、誘導加熱装置６を取付軸１１と軸受部１３により、誘導加熱装置６を使用しない時の配置位置及び使用時の並置位置に取付軸１１を中心に容易に回動できる。
【００２９】
また、本実施の形態では、誘導加熱装置６の高周波加熱装置１と共用の電源基板を高周波加熱装置１内に収納し、取付軸１１に誘導加熱装置６の内部に通じる軸穴１１ａを設け、該軸穴１１ａに加熱コイル８のリード線１２を通し、軸受部１３に形成される空間内で、加熱コイル８のリード線１２と電源基板のリード線とを接続するので、誘導加熱装置６を使用しない時、使用時に対応して回動しても、リード線１２が捩れることがなく、リード線１２の断線が防止できる。
このとき、誘導加熱装置６の電源基板を、共用でなく、単独の（独立の）電源基板とし、高周波加熱装置１内に収納しても、同様な効果が得られる。
さらに、誘導加熱装置６の電源基板を独立に（単独に）誘導加熱装置６内に設けた場合でも、電源線を取付軸１１の軸穴１１ａ内を通過させ、電源基板に接続することにより、同様な効果が得られる。
【００３０】
また、本実施の形態では、高周波加熱装置１と誘導加熱装置６との間で、電源基板、冷却用モータ１５、冷却ファン１６を共用とするので、高周波加熱装置１と誘導加熱装置６間の電源基板、冷却用モータ１５、冷却ファン１６の共用により、複合調理器の外形をコンパクトにし、コスト低減ができる。
【００３１】
また、本実施の形態では、電源基板と冷却モータ１５と冷却ファン１６とを高周波加熱装置１内に収納するので、比較的大きく、重い冷却モータ１５と冷却ファン１６を誘導加熱装置６内に収納しないことで、誘導加熱装置６を薄型にできる。そこで使用しない時、使用時に対応した誘導加熱装置６の回動が容易となるとともに、調理容器の取扱いが楽となる。
この際、電源基板を共用としてもいいが、誘導加熱装置６の電源基板を独立に（単独に）設け、高周波加熱装置１内又は誘導加熱装置６内に収容した場合でも、取付軸１１の軸穴１１ａを介して高周波加熱装置１と誘導加熱装置６間に風路を形成すれば、同様に得られる。
【００３２】
また、本実施の形態では、取付軸１１に誘導加熱装置６の内部に通じる軸穴１１ａを設け、吸気孔又は排気孔を有する高周波加熱装置１と排気孔又は吸気孔を有する誘導加熱装置６とを取付軸１１の軸穴１１ａを介して風路を形成するように接続し、冷却用モータ１５と冷却ファン１６とにより、高周波加熱装置１内の電源基板及び誘導加熱装置６内の加熱コイル８を冷却するので、高周波加熱装置１内に収納する冷却モータ１５と冷却ファン１６とにより、高周波加熱装置１内の電源基板及び誘導加熱装置６内の加熱コイル８を冷却することができる。即ち、外部に風路を形成せずに両装置内を冷却できる。
【００３３】
また、本実施の形態では、誘導加熱装置６の出力操作部を高周波加熱装置１の操作パネル４に設け、また、誘導加熱装置６の天板７上に出力表示部７ｂを設けるので、誘導加熱装置６を薄型にでき、かつ、高周波加熱装置１の操作パネル４で出力操作をしても、天板７上に出力表示部７ｂで出力を確認でき、使用者にわかりやすい。
【００３４】
なお、本実施の形態では、取付軸１１と軸受部１３とが取付手段に該当するが、取付手段としてはこの軸回転方式に限らず、使用時に誘導加熱装置をトッププレートが上方となるように、高周波加熱装置の筐体の側部側に並置固定し、使用しない時は、トッププレートのある面が高周波加熱装置の筐体の側部の面に接触合体するように又は両面が向い合う位置関係となるように移動可能に取付ける、又は高周波加熱装置の筐体の上面にトッププレートのある面が接触合体するように又は両面が向い合う位置関係となるように移動可能に取付ける等のものであれば軸回転方式に限らず、スライド方式、ジャバラ方式等及びこれらの組合せで上記の使用時、使用しない時の配置が得られるものでもよい。
また、誘導加熱装置６は、高周波加熱装置１の筐体１ａの片側に配置するようにしたが、どちら側に配置するようにしてもよい。また、両側にそれぞれ配置するようにしてもよい。両側に配置すれば、両側が可能となる。
【００３５】
実施の形態２．
図６は、本発明の実施の形態２の複合調理器の誘導加熱装置の使用時の着地スイッチの働きを説明する外観図である。
本実施の形態は、実施の形態１の複合調理器において、誘導加熱装置６に着地スイッチを設けることを必須の構成としたものである。その他については、実施の形態１と同じである。
【００３６】
図６において、９は、誘導加熱装置６の底部６ａに突出して設けた着地スイッチであり、１８は複合調理器を設置する設置場所、例えば設置台である。
誘導加熱装置６を使用するために回動配置した時、図６に示すように着地スイッチ９の配置位置に設置台１８の面（設置面）がないと、着地スイッチ９が動作しない。この着地スイッチ９が動作しないと誘導加熱装置６が動作しない回路構成となっている。即ち、着地スイッチ６が設置台１８と接触することにより、誘電加熱装置６に電源が接続される。
なお、着地スイッチ９は、足６ｂより若干長く、着地により回路接点を接触させるものであればよい。取付場所は誘導加熱装置６の底部で、回動配置した時、最も高周波加熱装置１から離れる場所の近傍に設けると有効である。誘導加熱装置１の底部６ａの両隅等に複数個設けてもよい。
さらに、着地スイッチ９は、足６ｂと共用してもよい。即ち、足６ｂの少なくとも１個に着地スイッチ機能を持たせる。
【００３７】
また、本実施の形態では、誘導加熱装置６の底部６ａに着地スイッチ９を備え、誘導加熱装置６を使用時に、着地スイッチ９が設置台１８と接触することにより誘導加熱装置６に電源が接続されるので、着地スイッ９チが設置台１８と接触することにより誘導加熱装置６に電源が接続され、接触しないと通電されないため、設置場所が不安定なまま使用されることがなく、安全に使用できる複合調理器が得られる。
【００３８】
実施の形態３．
実施の形態３は、実施の形態１又は実施の形態２の複合調理器において、複合調理器に電流容量超過対策を講じたものである。
即ち、高周波加熱装置１による高周波加熱と誘導加熱装置６による誘導加熱を同時に行う場合に、両者を同時に通電すると一般家庭での電流容量を越えてしまう場合のために、両者を同時に通電せずに、所定の間隔で、交互に通電させるものである。
【００３９】
操作パネル４に、交互動作スイッチ（図示せず）を設け、このスイッチを押すことにより高周波加熱装置１と誘導加熱装置６に交互に所定の時間間隔で通電させる。時間間隔は自動で行うことも、操作パネル４に設けるタイマーで設定することも可能である。
その他は実施の形態１又は２の複合調理器と同じである。
【００４０】
本実施の形態によれば、操作パネル４に交互動作スイッチを設け、該スイッチを動作させることにより、高周波加熱装置１と誘導加熱装置６とに交互に通電するので、両装置を同時に使う場合、電気容量が超過する場合でも、高周波加熱装置１と誘導加熱装置６とに交互に通電することにより、両装置で調理可能な複合調理器が得られる。
【００４１】
また、電流容量超過対策としては、高周波加熱を先に行い、終了後誘導加熱を行う等、両者を同時に通電せずに、まず一方の加熱を行い、終了後にもう一方の加熱を行うようにしてもよい。
さらに、電流容量に余裕がある場合は、高周波加熱装置１と誘導加熱装置６を同時に通電し、電流容量超過対策が必要な場合には、前記の電流容量超過対策運転を行える回路設計とし、操作パネル３のスイッチ等の切換えにより、両方の運転を選択できるようにしてもよい。
【００４２】
【発明の効果】
本発明の複合調理器は、高周波加熱装置と誘導加熱装置とを組合せ、誘導加熱装置を使用しない時には、取付手段により誘導加熱装置をトッププレートのある面が高周波加熱装置の筐体の側部の面に向い合うように配置固定し、誘導加熱装置の使用時には、取付手段により誘導加熱装置をトッププレートが上方となるように、高周波加熱装置の筐体の側部側に並置固定するので、誘導加熱装置の使用時に、誘導加熱装置を高周波加熱装置の側部に並置でき、高周波加熱装置と誘導加熱装置の使用時の目線の位置がほぼ同じ高さにすることができ、複合調理器の使い勝手を向上させることができる。
また、誘導加熱装置を使用しない時は、トッププレートのある面を高周波加熱装置の側部の面に向い合うように配置固定するので、折りたたむことにより小さくなり、設置スペースを有効活用できる。また、衝撃に弱いトッププレートのある面の保護ができる。
【図面の簡単な説明】
【図１】本発明の実施の形態１の複合調理器の誘導加熱装置使用時の外観図である。
【図２】本発明の実施の形態１の複合調理器の誘導加熱装置を使用しないときの外観図である。
【図３】本発明の実施の形態１の複合調理器の誘導加熱装置の部分斜視図である。
【図４】本発明の実施の形態１の複合調理器の高周波加熱装置に誘導加熱装置を取付けることを説明するための部分斜視図である。
【図５】本発明の実施の形態１の複合調理器の電気回路図である。
【図６】本発明の実施の形態２の複合調理器の誘導加熱装置の使用時の着地スイッチの働きを説明する外観図である。
【図７】従来の複合調理器の外観図である。
【図８】従来の複合調理器の断面図である。
【符号の説明】
１　高周波加熱装置、１ａ　筐体、１ｂ　側部、３　高周波加熱室、４　操作パネル、６　誘導加熱装置、６ａ　底部、７　天板、７ａ　トッププレート、７ｂ　出力表示部、９　着地スイッチ、１０　排気孔、１１　取付軸、１１、１３取付手段、１１ａ　軸穴、１２　リード線、１３　軸受部、１５　冷却用モータ、１６　冷却ファン、１８　設置台、１９吸気孔。
【図１】
2004069073.tif 000003
【図２】
2004069073.tif 000004
【図３】
2004069073.tif 000005
【図４】
2004069073.tif 000006
【図５】
2004069073.tif 000007
【図６】
2004069073.tif 000008
【図７】
2004069073.tif 000009
【図８】
2004069073.tif 000010